(57)【要約】【課題】車両内の乗客の位置に拘らずに広告情報を満遍なく各乗客に配信することが可能な広告情報配信システムを提供する。【解決手段】車両１０の天井１１に配置された複数の赤外線発光素子１２から、広告情報で変調された赤外線を車両１０内に照射し、これを乗客１３ａ〜１３ｃが持つ携帯端末１４ａ〜１４ｃにより受信して映像及び音声を再生し、各々の乗客が広告情報を視聴する。【選択図】  図１
2004341115.tif 000002
【特許請求の範囲】
【請求項１】
広告情報を配信する広告情報配信装置であって、
車両内に設置され、前記車両内にある携帯端末装置に対し、無線により前記広告情報を配信する配信手段を備える広告情報配信装置。
【請求項２】
請求項１記載の広告情報配信装置であって、
前記配信手段は複数の赤外線発光素子を有し、
前記赤外線発光素子は、前記広告情報で変調された赤外線を前記車両内に照射する広告情報配信装置。
【請求項３】
請求項２記載の広告情報配信装置であって、
前記複数の赤外線発光素子は、前記車両内の天井部に所定間隔を空けて設置されている広告情報配信装置。
【請求項４】
請求項１〜３のいずれか記載の広告情報配信装置であって、
前記広告情報は、映像情報と音声情報とを含む広告情報配信装置。
【発明の詳細な説明】
【０００１】
【発明の属する技術分野】
本発明は、広告情報を配信する広告情報配信装置に関する。
【０００２】
【従来の技術】
図４は、列車内の人間に広告情報を提供する従来の広告システムの概略構成を示す図である。
従来の広告システムは、列車内の出入り口扉７の上部付近に固定設置された液晶等の表示装置５で構成されており、表示装置５に映像情報等の広告情報を表示させて、列車内の人間に広告情報の提供を行っている（例えば、特許文献１参照）。
【０００３】
【特許文献１】
特開２００１−３１２２３８号公報
【０００４】
【発明が解決しようとする課題】
しかしながら、従来の広告システムにおいては、表示装置５が固定設置されているため、表示装置５に近い乗客２ａは、表示装置５の画面に表示される広告情報を見られるが、座っている乗客２ｂや表示装置５から離れている乗客２ｃは、その広告情報を見られなかった。
【０００５】
本発明は、上記事情に鑑みてなされたものであり、車両内の乗客の位置に拘らず、広告情報を満遍なく各乗客に配信することが可能な広告情報配信システムを提供することを目的とする。
【０００６】
【課題を解決するための手段】
本発明の広告情報配信装置は、車両内に設置され、前記車両内にある携帯端末装置に対し、無線により前記広告情報を配信する配信手段を備える。
【０００７】
この構成により、車両内にある携帯端末装置に対して無線により広告情報が配信されるため、携帯端末装置を持つ乗客は、車両内の位置に拘らず広告情報を得ることが可能となる。
【０００８】
又、本発明の広告情報配信装置は、前記配信手段が複数の赤外線発光素子を有し、前記赤外線発光素子は、前記広告情報で変調された赤外線を前記車両内に照射する。
【０００９】
この構成により、赤外線通信機能により広告情報を配信することにより、他の電波を用いた通信との干渉や車両内の乗客が持つ医療機器への悪影響等といった問題を回避することができる。
【００１０】
又、本発明の広告情報配信装置は、前記赤外線発光素子が、前記車両内の天井部に所定間隔を空けて設置されている。
【００１１】
この構成により、車両内の天井部に所定間隔を空けて設置された複数の赤外線発光素子から携帯端末装置に広告情報が配信されるため、携帯端末装置を持つ乗客は、車両内のどこにいても広告情報を得ることができる。
【００１２】
又、本発明の広告情報配信装置は、前記広告情報が、映像情報と音声情報とを含む。
【００１３】
【発明の実施の形態】
図１は、本発明の実施形態を説明するための広告情報配信システム１の概略構成を示す図である。
広告情報配信システム１は、電車やバス等の車両１０の天井１１に所定の間隔で取り付けられている複数の赤外線発光素子１２と、車両１０内の乗客１３ａ〜１３ｃが持っている携帯電話機やＰＤＡ等の携帯端末１４ａ〜１４ｃと、車両１０内の車掌室等の適切な場所に搭載されている広告情報配信装置１５とを備える。
【００１４】
広告情報配信装置１５は、映像情報と音声情報とを含む広告情報を、外部データベース等から取得し、取得した広告情報で搬送波を変調し、変調後の信号を赤外線発光素子１２に入力する。赤外線発光素子１２は、広告情報送信装置１５から入力された信号に対応する赤外線光を車両１０内に照射する。
【００１５】
図２は、図１に示した携帯端末の概略構成を示す図である。
携帯端末１４ａは、赤外線受光素子１４１と、復調部１４２と、表示ドライバ１４３と、音声増幅部１４４と、表示部１４５と、スピーカ１４６とを備える。尚、携帯端末１４ｂ、１４ｃの構成は携帯端末１４ａと同一である。
【００１６】
赤外線受光素子１４１は、車両１０の赤外線発光素子１２から照射された赤外線光を受光する。復調部１４２は、赤外線受光素子１４１で受光した赤外線から広告情報を復調し、復調した広告情報のうち映像情報を表示ドライバ１４３に入力し、音声情報を音声増幅部１４４に入力する。
【００１７】
表示ドライバ１４３は、復調部１４２から入力された映像信号に基づく映像を表示部１４５に表示させる。音声増幅器１４４は、復調部１４２から入力された音声信号を増幅してスピーカ１４６に出力させる。表示部１４５は、液晶等で構成され、文字や画像等を表示する。スピーカ１４６は、音声信号に基づく音声を出力する。
【００１８】
次に、広告情報配信システム１の動作について説明する。
広告情報配信装置１５は、広告情報を変調し、変調後の信号を車両１０内の天井１１に設置されている赤外線発光素子１２に入力する。これにより、広告情報で変調された赤外線が、赤外線発光素子１２から車両１０内に照射される。
【００１９】
乗客１３ａ、１３ｂ、１３ｃが持つ携帯端末１４ａ、１４ｂ、１４ｃは、上記赤外線を受光し、受光した赤外線から広告情報を復調して、元の映像信号及び音声信号に戻す。復調された映像信号は表示ドライバ１４３に入力され、音声信号は音声増幅器１４４に入力される。表示ドライバ１４３は、入力された映像信号に対応した文字や画像を表示部１４５に表示させ、音声増幅器１４４は、入力された音声信号を増幅してスピーカ１４６に出力する。
【００２０】
これにより、乗客１３ａ〜１３ｃは、それぞれが持っている携帯端末１４ａ〜１４ｃにより、映像情報と音声情報とを同時に出力させたり、映像情報と音声情報とのどちらかを選択して出力させたりすることで、広告情報を視聴する。尚、乗客１３ａ〜１３ｃは、イヤホン等を用いることで、周囲の人に迷惑をかけることなく、広告情報の視聴を行うことができる。
【００２１】
以上のように本実施形態によれば、広告情報を、車両内の天井１１に設置された複数の赤外線発光素子１２から赤外線通信で列車内の携帯端末１４ａ〜１４ｃに配信することにより、乗客１３ａ〜１３ｃは車両内のどこにいても、携帯端末１４ａ〜１４ｃで広告情報を受信し、画像及び音声によって広告情報を視聴することができる。
【００２２】
尚、本実施形態では赤外線通信を用いたが、近距離通信であればＢｌｕｅｔｏｏｔｈのような他の通信方式を用いても同様の効果を得ることができる。更に、放送チャネルを複数チャネルとして、チャネル毎で異なった広告情報、例えば、あるチャネルは音声情報、あるチャネルは映像情報といった具合に広告情報を配信し、乗客が放送チャネルを選択し、状況に応じて広告情報の種類を変更することも可能である。
【００２３】
また、本実施形態では、乗客１３ａ〜１３ｃが、本システム専用の携帯端末１４ａ〜１４ｃを持っている例で説明したが、図３に示すような汎用の携帯電話機やＰＤＡ等に、赤外線通信機能を付加する通信カード６０等を装着して、汎用の携帯端末で広告情報を受信して視聴するようにしても同様の効果を得ることができる。
【００２４】
【発明の効果】
本発明によれば、車両内の乗客の位置に拘らずに、広告情報を満遍なく各乗客に配信することが可能な広告情報配信システムを提供することができる。
【図面の簡単な説明】
【図１】本発明の実施形態を説明するための広告情報配信システムの概略構成を示す図
【図２】本発明の実施形態を説明するための広告情報配信システムの携帯端末の概略構成を示す図
【図３】本発明の実施形態を説明するための広告情報配信システムで用いる携帯端末の他の例を示す図
【図４】従来の列車内広告システムの構成を示した図である。
【符号の説明】
１０  車両
１１  天井
１２  赤外線発光素子
１３ａ〜１３ｃ  ユーザ
１４ａ〜１４ｃ  携帯端末
１５  広告情報配信装置
【図１】
2004341115.tif 000003
【図２】
2004341115.tif 000004
【図３】
2004341115.tif 000005
【図４】
2004341115.tif 000006